(57)【要約】【課題】正逆回転が可能なラチェット機構を攪拌装置に備えた排ガス処理装置を提供すること。【解決手段】担体を充填した担体層２に排気ガスを導いて処理するとともに、担体層２を攪拌羽根３により攪拌する攪拌装置を設けた排ガス処理装置において、ラチェット歯車４と、このラチェット歯車４に噛合するラチェット爪５を備えた爪付きアーム６とを同軸かつ個別に回転可能に設け、ラチェット歯車４と爪付きアーム６の一方を攪拌羽根３の駆動軸７に接続するとともに、ラチェット歯車４と爪付きアーム６のもう一方をシリンダ８のロッド８１に揺動可能に接続したラチェット機構を設け、このラチェット機構を駆動軸７に回転方向を違えて１対設置するとともに、各ラチェット機構のラチェット爪５をラチェット歯車４から離脱させる離脱手段９を設ける。【選択図】図１
2009262097.tif 000002
【特許請求の範囲】
【請求項１】
担体を充填した担体層に排気ガスを導いて処理するとともに、該担体層を攪拌羽根により攪拌する攪拌装置を設けた排ガス処理装置において、ラチェット歯車と、該ラチェット歯車に噛合するラチェット爪を備えた爪付きアームとを同軸かつ個別に回転可能に設け、ラチェット歯車と爪付きアームの一方を攪拌羽根の駆動軸に接続するとともに、ラチェット歯車と爪付きアームのもう一方をシリンダのロッドに揺動可能に接続したラチェット機構を設け、該ラチェット機構を駆動軸に回転方向を違えて１対設置するとともに、各ラチェット機構のラチェット爪をラチェット歯車から離脱させる離脱手段を設けたことを特徴とする排ガス処理装置。
【請求項２】
攪拌羽根の駆動軸に爪付きアームを接続するとともに、ラチェット歯車にクランクシャフトを介してシリンダのロッドを接続したことを特徴とする請求項１記載の排ガス処理装置。
【請求項３】
攪拌羽根の駆動軸を複数設けるとともに、各駆動軸のクランクシャフトをリンクロッドで連結したことを特徴とする請求項２記載の排ガス処理装置。
【発明の詳細な説明】
【技術分野】
【０００１】
本発明は、事業所等から排出されるガスを処理する排ガス処理装置に関し、特に、担体層に充填した担体を、簡潔な装置により攪拌することができる排ガス処理装置に関するものである。
【背景技術】
【０００２】
事業所等から排出される有機性ガス等を処理する方法のひとつとして、担体吸着法がある。担体吸着法では、例えば数センチメートル角のポリウレタン製の担体を多数充填した担体層に処理対象ガスを通過させ、ガス中の有機成分などを吸着・除去させる。
【０００３】
担体層には、吸着・除去性能を向上させるために、散水したり微生物を付加することがあり、特にその場合には担体層に充填した担体が目詰まりあるいは圧密し、処理性能が悪化する。
【０００４】
これを防ぐために、定期的に担体層を攪拌し担体をほぐす必要があり、本件出願人は、先に、ラチェット機構を利用して攪拌羽根を回転させるようにした排ガス処理装置を提案している（特願２００８−０５６１５０参照）。
【０００５】
しかしながら、この排ガス処理装置では、駆動軸及び攪拌羽根は一方向にしか回転することができず、攪拌ムラが生じたり、攪拌羽根が担体を噛みこんだ場合に逆回転で取り外すといったことができないという問題があった。
【発明の開示】
【発明が解決しようとする課題】
【０００６】
本発明は、上記従来の排ガス処理装置が有する問題点に鑑み、正逆回転が可能なラチェット機構を攪拌装置に備えた排ガス処理装置を提供することを目的とする。
【課題を解決するための手段】
【０００７】
上記目的を達成するため、本発明の排ガス処理装置は、担体を充填した担体層に排気ガスを導いて処理するとともに、該担体層を攪拌羽根により攪拌する攪拌装置を設けた排ガス処理装置において、ラチェット歯車と、該ラチェット歯車に噛合するラチェット爪を備えた爪付きアームとを同軸かつ個別に回転可能に設け、ラチェット歯車と爪付きアームの一方を攪拌羽根の駆動軸に接続するとともに、ラチェット歯車と爪付きアームのもう一方をシリンダのロッドに揺動可能に接続したラチェット機構を設け、該ラチェット機構を駆動軸に回転方向を違えて１対設置するとともに、各ラチェット機構のラチェット爪をラチェット歯車から離脱させる離脱手段を設けたことを特徴とする。
【０００８】
この場合において、攪拌羽根の駆動軸に爪付きアームを接続するとともに、ラチェット歯車にクランクシャフトを介してシリンダのロッドを接続することができる。
【０００９】
また、攪拌羽根の駆動軸を複数設けるとともに、各駆動軸のクランクシャフトをリンクロッドで連結することができる。
【発明の効果】
【００１０】
本発明の排ガス処理装置によれば、担体を充填した担体層に排気ガスを導いて処理するとともに、該担体層を攪拌羽根により攪拌する攪拌装置を設けた排ガス処理装置において、ラチェット歯車と、該ラチェット歯車に噛合するラチェット爪を備えた爪付きアームとを同軸かつ個別に回転可能に設け、ラチェット歯車と爪付きアームの一方を攪拌羽根の駆動軸に接続するとともに、ラチェット歯車と爪付きアームのもう一方をシリンダのロッドに揺動可能に接続したラチェット機構を設け、該ラチェット機構を駆動軸に回転方向を違えて１対設置するとともに、各ラチェット機構のラチェット爪をラチェット歯車から離脱させる離脱手段を設けることから、一方のラチェット機構のラチェット爪をラチェット歯車から離脱させた状態でシリンダのロッドを伸縮させることにより、攪拌羽根の駆動軸を大きなトルクで間欠的に低速回転させるとともに、離脱させるラチェット爪をもう一方のラチェット機構に切り替えることにより、攪拌羽根の駆動軸を逆回転させることができる。
これにより、従来の担体層の攪拌ムラを解消するとともに、攪拌羽根が担体を噛みこんだ場合に逆回転で容易に取り外すことができる。
【００１１】
また、攪拌羽根の駆動軸に爪付きアームを接続するとともに、ラチェット歯車にクランクシャフトを介してシリンダのロッドを接続することにより、シリンダでラチェット歯車を揺動させるとともに、この揺動により爪付きアームを間欠的に回転させ、攪拌羽根の駆動軸を大きなトルクで間欠的に低速回転させることができる。
【００１２】
また、攪拌羽根の駆動軸を複数設けるとともに、各駆動軸のクランクシャフトをリンクロッドで連結することにより、１本のシリンダで複数の駆動軸を回転させることができ、攪拌装置の機構と制御を簡略にすることができる。
【発明を実施するための最良の形態】
【００１３】
以下、本発明の排ガス処理装置の実施の形態を、図面に基づいて説明する。
【実施例１】
【００１４】
図１〜図５に、本発明の排ガス処理装置の一実施例を示す。
塗装工場等から排出された排気ガスは、排気ファンによって捕集され、排ガス処理装置の処理槽１へと導かれる。
処理槽１の内部には、微生物を付着させた担体を充填した担体層２が設けられ、この担体層２に排気ガスを導いて処理するとともに、処理槽１には、担体層２を攪拌羽根３により攪拌する攪拌装置が設けられている。
【００１５】
この攪拌装置は、ラチェット歯車４と、このラチェット歯車４に噛合するラチェット爪５を備えた爪付きアーム６とを同軸かつ個別に回転可能に設け、ラチェット歯車４と爪付きアーム６の一方を攪拌羽根３の駆動軸７に接続するとともに、ラチェット歯車４と爪付きアーム６のもう一方をシリンダ８のロッド８１に揺動可能に接続している。
本実施例では、攪拌羽根３の駆動軸７に爪付きアーム６を接続するとともに、ラチェット歯車４にクランクシャフト１２を介してシリンダ８のロッド８１を接続している。
そして、この攪拌装置は、上記ラチェット機構を駆動軸７に回転方向を違えて表裏１対設置するとともに、各ラチェット機構のラチェット爪５をラチェット歯車４から離脱させる離脱手段としてのソレノイド９を設けている。
【００１６】
表側のラチェット機構は、図１に示すように、駆動軸７は爪付きアーム６と一体に設けられており、駆動軸７の上部は軸受１０ａに、下部は軸受１０ｂにそれぞれ回転可能に支持されている。
爪付きアーム６のラチェット爪５は、ピン１１により揺動可能に枢支されており、ラチェット歯車４に噛合する方向に付勢されている。
また、ラチェット歯車４とクランクシャフト１２は一体に設けられており、軸受１０ａを介して、爪付きアーム６と同軸でかつ個別に回転可能に支持されている。
【００１７】
また、シリンダ８のロッド８１とクランクシャフト１２は、ピン１３を介して連結されている。
シリンダ８のロッド８１が伸縮し、このロッド８１が伸びるときにはラチェット歯車４が時計回りに回転し、ラチェット爪５が噛合するため、爪付きアーム６も時計回りに回転する。
また、シリンダ８のロッド８１が縮むときには、ラチェット歯車４が反時計回りに回転するが、ラチェット爪５にラチェット歯車４の歯がかからないため、爪付きアーム６は回転しない。
このラチェットの運動を繰り返すことにより、爪付きアーム６に接続された駆動軸７が間欠的に回転し続け、もって攪拌羽根３が担体層２内を攪拌することができる。
【００１８】
これに対し、裏側のラチェット機構は、図２に示すように、爪付きアーム６が表側と共用されており、ラチェット爪５は、爪付きアーム６の裏側に設けられ、ラチェット歯車４に噛合する方向に付勢されている。
この場合、裏側のラチェット機構では、ラチェット歯車４とラチェット爪５の噛み合う回転方向が表側のラチェット機構と逆に設けられている。
シリンダ８のロッド８１が伸縮し、このロッド８１が伸びるときにはラチェット歯車４が反時計回りに回転し、ラチェット爪５が噛合するため、爪付きアーム６も反時計回りに回転し、爪付きアーム６に接続された駆動軸７が反時計回りに回転する。
【００１９】
なお、本実施例では、シリンダ８は表裏１対のラチェット機構ごとに設けているが、１本のシリンダ８と１本のクランクシャフト１２により２つのラチェット歯車４を回転させるようにすることもできる。
【００２０】
一方、ソレノイド９は、各ラチェット機構のラチェット爪５をラチェット歯車４から離脱させる離脱手段として設けられている。
図３に示すように、ソレノイド９は、そのプランジャ９１が伸長することでラチェット爪５の後部を押圧し、ラチェット爪５の先端部をラチェット歯車４の歯にかからない状態に浮かせることにより、ラチェット爪５をラチェット歯車４から離脱させる。
すなわち、一方のラチェット機構を作動させるときは、他方のラチェット機構が空転するように、このソレノイド９によってラチェット爪５をラチェット歯車４から離脱させるようにする。
【００２１】
なお、このようなラチェット爪５の離脱手段としては、ソレノイド９以外に油圧アクチュエータなども利用することができる。
また、プランジャ９１が押し出されることによってラチェット爪５が離脱する機構を示したが、逆にプランジャ９１が押し出されることでラチェット爪５とラチェット歯車４が噛み合う機構を利用することもできる。
【００２２】
ちなみに、駆動軸７を時計回りに回転させる場合には、図１に示す表側のラチェット機構において、プランジャ９１を引き込んだ状態とし、ラチェット歯車４と爪付きアーム６の歯合によって駆動軸７が時計回りに回転させる。
その一方で、図２に示す裏側のラチェット機構おいて、プランジャ９１を押し出した状態とし、ラチェット歯車４とラチェット爪５は噛み合わない空転状態とし、上記駆動軸７の回転に影響を与えず、また影響を受けることがないようにする。
【００２３】
逆に、駆動軸７を反時計回りに回転させる場合には、図２に示す裏側のラチェット機構では、プランジャ９１を引き込んだ状態とし、ラチェット歯車と爪付きアーム６の歯合によって駆動軸７が反時計回りに回転させることができる。
その一方で、表側のラチェット機構おいては、図３に示すように、プランジャ９１を押し出した状態とし、ラチェット歯車４とラチェット爪５は噛み合わない空転状態とし、上記駆動軸７の回転に影響を与えず、またシリンダ８への影響もないようにする。
【００２４】
他方、本実施例の排ガス処理装置では、図４〜図５に示すように、攪拌羽根３の駆動軸７を複数設けるとともに、各駆動軸７のクランクシャフト１２をリンクロッド１４で連結し、１本のシリンダ８で複数の駆動軸７を回転させるようにしている。
このように、複数の駆動軸７のクランクシャフト１２をリンクロッド１４で連結することにより、１本のシリンダ８で複数の駆動軸７を回転させることができ、攪拌装置の機構と制御を簡略にすることができる。
【００２５】
かくして、本実施例の排ガス処理装置は、担体を充填した担体層２に排気ガスを導いて処理するとともに、該担体層２を攪拌羽根３により攪拌する攪拌装置を設けた排ガス処理装置において、ラチェット歯車４と、該ラチェット歯車４に噛合するラチェット爪５を備えた爪付きアーム６とを同軸かつ個別に回転可能に設け、ラチェット歯車４と爪付きアーム６の一方を攪拌羽根３の駆動軸７に接続するとともに、ラチェット歯車４と爪付きアーム６のもう一方をシリンダ８のロッド８１に揺動可能に接続したラチェット機構を設け、該ラチェット機構を駆動軸７に回転方向を違えて１対設置するとともに、各ラチェット機構のラチェット爪５をラチェット歯車４から離脱させる離脱手段を設けることから、一方のラチェット機構のラチェット爪５をラチェット歯車４から離脱させた状態でシリンダ８のロッド８１を伸縮させることにより、攪拌羽根３の駆動軸７を大きなトルクで間欠的に低速回転させるとともに、離脱させるラチェット爪５をもう一方のラチェット機構に切り替えることにより、攪拌羽根３の駆動軸７を逆回転させることができる。
これにより、従来の担体層２の攪拌ムラを解消するとともに、攪拌羽根３が担体を噛みこんだ場合に逆回転で容易に取り外すことができる。
【００２６】
また、攪拌羽根３の駆動軸７に爪付きアーム６を接続するとともに、ラチェット歯車４にクランクシャフト１２を介してシリンダ８のロッド８１を接続することにより、シリンダ８でラチェット歯車４を揺動させるとともに、この揺動により爪付きアーム６を間欠的に回転させ、攪拌羽根３の駆動軸７を大きなトルクで間欠的に低速回転させることができる。
【００２７】
また、攪拌羽根３の駆動軸７を複数設けるとともに、各駆動軸７のクランクシャフト１２をリンクロッド１４で連結することにより、１本のシリンダ８で複数の駆動軸７を回転させることができ、攪拌装置の機構と制御を簡略にすることができる。
【００２８】
以上、本発明の排ガス処理装置について、その実施例に基づいて説明したが、本発明は上記実施例に記載した構成に限定されるものではなく、その趣旨を逸脱しない範囲において適宜その構成を変更することができる。
【００２９】
例えば、ラチェット歯車４を攪拌羽根３の駆動軸７に接続するとともに、爪付きアーム６にシリンダ８のロッド８１を接続して揺動させることもできる。
【産業上の利用可能性】
【００３０】
本発明の排ガス処理装置は、攪拌装置に電動機や減速機を不要にし、簡略な機構で攪拌羽根の駆動軸を正逆回転させることから、従来の攪拌ムラを解消するとともに、攪拌羽根が担体を噛みこんだ場合に逆回転で取り外すことができ、製造コストを低減した排ガス処理装置として広く好適に用いることができる。
【図面の簡単な説明】
【００３１】
【図１】本発明の排ガス処理装置の一実施例を示す表側ラチェット機構の正面図である。
【図２】同裏側ラチェット機構の正面図である。
【図３】表側ラチェット機構のラチェット爪を離脱させた状態を示す正面図である。
【図４】同排ガス処理装置を示す断面図である。
【図５】クランクシャフトをリンクロッドで連結した状態を示す正面図である。
【符号の説明】
【００３２】
１    処理槽
２    担体層
３    攪拌羽根
４    ラチェット歯車
５    ラチェット爪
６    爪付きアーム
７    駆動軸
８    シリンダ
８１  ロッド
９    ソレノイド（離脱手段）
９１  プランジャ
１０  軸受
１１  ピン
１２  クランクシャフト
１３  ピン
１４  リンクロッド
【図１】
2009262097.tif 000003
【図２】
2009262097.tif 000004
【図３】
2009262097.tif 000005
【図４】
2009262097.tif 000006
【図５】
2009262097.tif 000007